(57)【要約】【課題】単眼顕微鏡にも使用でき、接眼レンズを付けたまま接眼レンズの鏡筒に固定し、接眼レンズを介して観察像を撮影することができ、様々な種類のカメラにも対応できる顕微鏡用カメラアダプタを提供する。【解決手段】顕微鏡を用いて観察される対象物の観察像を得るべく、カメラを顕微鏡へ取り付けるための顕微鏡用カメラアダプタ１において、顕微鏡の接眼レンズ１３の鏡筒１４に締付部材６によって固定される鏡筒接続部２と、該鏡筒接続部２と一体に設けられ、もしくは前記鏡筒接続部２と別体に設けられて該鏡筒接続部２に取り付けられ、前記鏡筒接続部２が前記鏡筒１４に固定された際、前記接眼レンズ１３を取り囲む筒状体３と、該筒状体３に設けられ、前記筒状体の開口端縁３１にカメラ本体１２の前面壁を当接させた状態でカメラを保持するカメラ保持部４とを有することを特徴とする顕微鏡用カメラアダプタ。【選択図】図１
0003171985.tif 000002
【実用新案登録請求の範囲】
【請求項１】
顕微鏡を用いて観察される対象物の観察像を得るべく、カメラを顕微鏡へ取り付けるための顕微鏡用カメラアダプタにおいて、
顕微鏡の接眼レンズの鏡筒に締付部材によって固定される鏡筒接続部と、
該鏡筒接続部と一体に設けられ、もしくは前記鏡筒接続部と別体に設けられて該鏡筒接続部に取り付けられ、前記鏡筒接続部が前記鏡筒に固定された際、前記接眼レンズを取り囲む筒状体と、
該筒状体に設けられ、前記筒状体の開口端縁にカメラ本体の前面壁を当接させた状態でカメラを保持するカメラ保持部とを有することを特徴とする顕微鏡用カメラアダプタ。
【請求項２】
前記鏡筒接続部が筒状に設けられ、前記筒状体は、前記鏡筒接続部と別体に設けられると共に、該鏡筒接続部に対して軸線方向に移動可能に設けられ、前記カメラ保持部に保持されたカメラのカメラレンズと前記接眼レンズとの間の距離を調節可能に設けられていることを特徴とする請求項１に記載の顕微鏡用カメラアダプタ。
【請求項３】
前記筒状体と前記鏡筒接続部とがネジ機構によって螺合されて、前記筒状体が前記鏡筒接続部に対して軸線方向に移動可能に設けられていることを特徴とする請求項２に記載の顕微鏡用カメラアダプタ。
【請求項４】
前記筒状体に軸線方向に伸びるスリットが形成され、前記鏡筒接続部に前記スリットを貫通するネジピンが設けられ、該ネジピンにナットが前記筒状体を挟むようにして螺合されて、前記筒状体が所要移動位置で前記鏡筒接続部に固定可能になっていることを特徴とする請求項２に記載の顕微鏡用カメラアダプタ。
【請求項５】
前記筒状体と前記鏡筒接続部とがラック・ピニオン機構によって噛み合っていて前記筒状体が前記鏡筒接続部に対して軸線方向に移動可能に設けられていることを特徴とする請求項２に記載の顕微鏡用カメラアダプタ。
【請求項６】
前記筒状体に前記カメラレンズの位置確認用の窓部が設けられていることを特徴とする請求項１から請求項５のうちいずれかに記載の顕微鏡用カメラアダプタ。
【請求項７】
前記鏡筒接続部に、周方向に所定間隔をおいて軸線方向に伸びる複数本のすり割りが設けられていて、前記締付部材によって締め付けられることによって縮径することを特徴とする請求項１から請求項６のうちいずれかに記載の顕微鏡用カメラアダプタ。
【請求項８】
前記締付部材が、締付バンドであることを特徴とする請求項１から請求項７のうちいずれかに記載の顕微鏡用カメラアダプタ。
【請求項９】
偏心軸部に取り付けられたレバーを回動させて締め付けることができ、カム機構により最大締付位置を超えた位置でレバーが固定できる締付バンドであることを特徴とする請求項８に記載の顕微鏡用カメラアダプタ。
【請求項１０】
前記筒状体の開口端の内壁面に沿って設けられ、筒状体の開口端に進入するカメラレンズ筒の外周面に弾接するバネ体を有することを特徴とする請求項１から請求項９のうちいずれかに記載の顕微鏡用カメラアダプタ。
【請求項１１】
前記カメラ保持部は、三脚にカメラ本体を取り付ける雌ネジ孔に螺合する雄ネジ部を有し、カメラを、カメラレンズが前記接眼レンズと軸線を一致する位置に位置合わせするよう、前記雄ネジ部を三次元内で移動可能な三次元移動機構からなることを特徴とする請求項１から請求項９のうちいずれかに記載の顕微鏡用カメラアダプタ。
【請求項１２】
前記三次元移動機構は、
前記筒状体に、該筒状体の軸線と直交する方向に移動可能に設けられた枠体と、
該枠体に、前記枠体の移動方向と直交する方向に移動可能に案内されたネジピンと、該ネジピンが貫通する長孔を有し、該ネジピンを中心として回転可能であり、一端側に前記雄ネジ部が設けられたリンクと、前記ネジピンに螺合し、該ネジピンに対して任意の位置に移動した前記リンクを締付固定するナットとを有することを特徴とする請求項１１に記載の顕微鏡用カメラアダプタ。
【請求項１３】
前記鏡筒に装着可能な筒体を有し、前記鏡筒接続部は、該筒体上に嵌め合わされて固定可能になっていることを特徴とする請求項１から請求項１２のうちいずれかに記載の顕微鏡用カメラアダプタ。
【請求項１４】
前記筒体は、周面に切れ目が形成されて断面Ｃリング状をなし、前記締付部材によって前記鏡筒接続部と共に鏡筒上に締め付け可能になっていることを特徴とする請求項１３に記載の顕微鏡用カメラアダプタ。
【考案の詳細な説明】
【技術分野】
【０００１】
本考案は、顕微鏡用カメラアダプタに関するものである。
【背景技術】
【０００２】
顕微鏡用カメラアダプタは顕微鏡で観察された像をカメラで撮影するために、顕微鏡とカメラを接続するものであり、撮影された観察像を記録して保存したり、テレビモニターやスクリーンに観察像を映し出したりできる。顕微鏡やカメラの種類により、接眼レンズや鏡筒の径、カメラレンズの部分の形状は異なるため、その大きさに合わせるために顕微鏡用カメラアダプタの形状は様々な種類がある。この中で、顕微鏡用カメラアダプタ本体にレンズが内蔵されたものは写真直筒に挿入し、また接眼レンズを外して鏡筒に挿入して観察像を撮影する。
【０００３】
これまでの顕微鏡用カメラアダプタについて、顕微鏡の双眼鏡筒部にカメラを装着して標本像を撮影する顕微鏡用カメラアダプタが特許文献１に開示されている。また、レンズが内蔵され、顕微鏡の撮影ポートおよび接眼用鏡筒のいずれにも装着することができる顕微鏡用アダプタが特許文献２に開示されている。
【先行技術文献】
【特許文献】
【０００４】
【特許文献１】特開２００２−３５０７４０号公報
【特許文献２】特開２００２−３１７６５号公報
【考案の概要】
【考案が解決しようとする課題】
【０００５】
従来の顕微鏡用カメラアダプタは、接眼レンズを２つ有する双眼顕微鏡および三眼顕微鏡の双眼鏡筒部を使用するものであり、一方の接眼レンズを取り外してアダプタ固定部を挿入、もう一方の接眼レンズを介して観察像を撮影するものである。このため、単眼顕微鏡には使用できない。また、接眼レンズを取り外して顕微鏡用カメラアダプタを挿入し、そのまま観察するので、鏡筒内や対物レンズ内にほこりが入りやすくなるという課題もある。
【０００６】
そこで本考案は上記課題を解決するためになされたもので、その目的とするところは、単眼顕微鏡にも使用でき、接眼レンズを付けたまま接眼レンズの鏡筒に固定し、接眼レンズを介して観察像を撮影することができ、様々な種類のカメラにも対応できる顕微鏡用カメラアダプタを提供することにある。
【課題を解決するための手段】
【０００７】
顕微鏡を用いて観察される対象物の観察像を得るべく、カメラを顕微鏡へ取り付けるための顕微鏡用カメラアダプタにおいて、顕微鏡の接眼レンズの鏡筒に締付部材によって固定される鏡筒接続部と、該鏡筒接続部と一体に設けられ、もしくは前記鏡筒接続部と別体に設けられて該鏡筒接続部に取り付けられ、前記鏡筒接続部が前記鏡筒に固定された際、前記接眼レンズを取り囲む筒状体と、該筒状体に設けられ、前記筒状体の開口端縁にカメラ本体の前面壁を当接させた状態でカメラを保持するカメラ保持部とを有することを特徴とする。この構成によれば、顕微鏡用カメラアダプタを接眼レンズ鏡筒に簡単に着脱することができる。更に単眼顕微鏡にも使用でき、接眼レンズを付けたまま接眼レンズの鏡筒に固定でき、接眼レンズを介して観察像を撮影することができる。また、筒状体の開口端縁にカメラ本体の前面壁を当接させてカメラレンズを取り囲んだ状態で保持するので、カメラ本体の重さを顕微鏡用カメラアダプタで受けて、カメラ本体を安定させることができる。更に重いカメラでも取り付けることができる。他にも、外の光を遮って写り込みを防止できる。
【０００８】
前記鏡筒接続部が筒状に設けられ、前記筒状体は、前記鏡筒接続部と別体に設けられると共に、該鏡筒接続部に対して軸線方向に移動可能に設けられ、前記カメラ保持部に保持されたカメラのカメラレンズと前記接眼レンズとの間の距離を調節可能に設けられていることで、接眼レンズとの距離を適した位置に合わせて鮮明な観察像を撮影できる。
【０００９】
前記筒状体と前記鏡筒接続部とがネジ機構によって螺合されて、前記筒状体が前記鏡筒接続部に対して軸線方向に移動可能に設けられていることで、筒状体または鏡筒接続部を周方向に回転させるだけでカメラレンズと接眼レンズとの距離を適した位置に合わせることができる。
前記筒状体に軸線方向に伸びるスリットが形成され、前記鏡筒接続部に前記スリットを貫通するネジピンが設けられ、該ネジピンにナットが前記筒状体を挟むようにして螺合されて、前記筒状体が所要移動位置で前記鏡筒接続部に固定可能になっていることで、筒状体を上下に移動させるだけでカメラレンズと接眼レンズとの距離を適した位置に合わせることができる。
また、前記筒状体と前記鏡筒接続部とがラック・ピニオン機構によって噛み合っていて前記筒状体が前記鏡筒接続部に対して軸線方向に移動可能に設けられていることで、筒状体または鏡筒接続部に設けられたピニオンを回転させるだけでカメラレンズと接眼レンズとの距離を適した位置に合わせることができる。
【００１０】
前記筒状体に前記カメラレンズの位置確認用の窓部が設けられていることで、外側から目視しながらカメラレンズと接眼レンズとの距離を適した位置に合わせることができる。
また、前記鏡筒接続部に、周方向に所定間隔をおいて軸線方向に伸びる複数本のすり割りが設けられていて、前記締付部材によって締め付けられることによって縮径することで、径の異なる様々な種類の鏡筒でも接続して固定することができる。
【００１１】
前記締付部材が、締付バンドであることで、鏡筒接続部を締め付けて容易に鏡筒に固定させることができる。
また、偏心軸部に取り付けられたレバーを回動させて締め付けることができ、カム機構により最大締付位置を超えた位置でレバーが固定できる締付バンドであることで、レバーを操作するだけで鏡筒に容易に固定できる。
【００１２】
前記筒状体の開口端の内壁面に沿って設けられ、筒状体の開口端に進入するカメラレンズ筒の外周面に弾接するバネ体を有することで、カメラ本体の前面壁から突出しているタイプのカメラのカメラレンズを筒状体に固定させて、カメラ本体を安定させることができる。
【００１３】
前記カメラ保持部は、三脚にカメラ本体を取り付ける雌ネジ孔に螺合する雄ネジ部を有し、カメラを、カメラレンズが前記接眼レンズと軸線を一致する位置に位置合わせするよう、前記雄ネジ部を三次元内で移動可能な三次元移動機構からなることで、カメラ本体を筒状体の端縁に当接させ、カメラレンズの形状、大きさ、カメラレンズがある位置に応じて軸線と一致でき、接眼レンズとの距離を適した位置に合わせることができる。
【００１４】
前記三次元移動機構は、前記筒状体に、該筒状体の軸線と直交する方向に移動可能に設けられた枠体と、該枠体に、前記枠体の移動方向と直交する方向に移動可能に案内されたネジピンと、該ネジピンが貫通する長孔を有し、該ネジピンを中心として回転可能であり、一端側に前記雄ネジ部が設けられたリンクと、前記ネジピンに螺合し、該ネジピンに対して任意の位置に移動した前記リンクを締付固定するナットとを有することで、三次元移動機構が筒状体の幅にほぼ等しく、占める空間が小さくてコンパクトに納まり、双眼顕微鏡の一方に取り付けても、もう一方の接眼レンズで観察することを妨げない。
【００１５】
前記鏡筒に装着可能な筒体を有し、前記鏡筒接続部は、該筒体上に嵌め合わされて固定可能になっていることで、筒体の外径に合わせて鏡筒接続部の内径を大きくすることができ、接眼レンズのフランジ部が鏡筒よりも大径で、鏡筒の外方に突出している場合でも、接眼レンズを鏡筒から抜き取ることなく、取り付けたまま顕微鏡用カメラアダプタ装着することができる。
【００１６】
前記筒体は、周面に切れ目が形成されて断面Ｃリング状をなし、前記締付部材によって前記鏡筒接続部と共に鏡筒上に締め付け可能になっていることで筒体が縮径して径の異なる様々な種類の鏡筒でも接続して鏡筒接続部と共に固定させることができる。
【考案の効果】
【００１７】
本考案に係る顕微鏡用カメラアダプタによれば、単眼顕微鏡にも使用でき、接眼レンズを付けたまま接眼レンズの鏡筒に固定し、接眼レンズを介して観察像を撮影することができ、様々な種類のカメラにも対応できる顕微鏡用カメラアダプタを提供することにある。
【図面の簡単な説明】
【００１８】
【図１】本考案に係る顕微鏡用カメラアダプタを介して顕微鏡の接眼レンズの鏡筒にカメラを取り付けた状態を示す部分断面図である。
【図２】本考案に係る顕微鏡用カメラアダプタにカメラを保持させた状態の斜視図である。
【図３】本考案に係る顕微鏡用カメラアダプタの形態の一例を示す図であり、（ａ）は、顕微鏡用カメラアダプタを介して顕微鏡の接眼レンズの鏡筒に取り付け、カメラレンズをバネ体によって保持した状態を示す部分断面図で、（ｂ）は、バネ体の説明図である。
【図４】本考案に係る顕微鏡用カメラアダプタの他の実施の形態を示す正面図である。
【図５】図４に示す顕微鏡用カメラアダプタの平面図である。
【図６】図４に示す顕微鏡用カメラアダプタの側面図である。
【図７】本考案に係る顕微鏡用カメラアダプタと顕微鏡用カメラアダプタに取り付けられた締付部材の形態の一例を示す図である。
【図８】図７に示す締付部材の説明図である。
【図９】図８に示す締付部材の締め付けた状態を示す説明図である。
【図１０】ラック・ピニオン機構の一例を示す図である。
【考案を実施するための形態】
【００１９】
以下、本考案の実施形態を添付図面に基づいて詳細に説明する。
【００２０】
図１は、顕微鏡用カメラアダプタ１を介して顕微鏡の接眼レンズ１３の鏡筒１４にカメラ本体１２を取り付けた状態を示す部分断面図、図２は、顕微鏡用カメラアダプタ１の斜視図である。本実施形態の顕微鏡用カメラアダプタ１は、鏡筒接続部２と筒状体３とカメラ本体１２を保持するカメラ保持部４とを有する。
【００２１】
顕微鏡用カメラアダプタ１は、鏡筒１４の外径よりも若干大径の内径を有する筒状の鏡筒接続部２と、鏡筒接続部２よりも大径で、テーパ筒部２０を介在させて鏡筒接続部２と一体に形成された筒状体３からなる。
【００２２】
鏡筒接続部２の周面には、周方向に所定間隔をおいて鏡筒接続部２の開口端縁２１から軸線方向に伸びる複数のすり割り２２が形成され、これにより縮径可能になっている。
【００２３】
顕微鏡用カメラアダプタ１は、接眼レンズ１３を装着したままの顕微鏡の鏡筒１４に、鏡筒接続部２を外嵌した状態で、公知の締付バンド６１（締付部材６）によって鏡筒接続部２を締め付けることによって、鏡筒１４に固定することができる。この状態で、筒状体３は、接眼レンズ１３を取り囲む状態になる。締付バンド６１は周方向に長さを自在に変化でき、拡径と縮径が容易にできるものである。ネジ部６２につまみ６３を取り付けてつまみ６３を回せば、更に容易に締め付けできる。また、鏡筒接続部２の面全体で鏡筒１４に固定されることで、カメラ本体が重くても接触面積が大きいので鏡筒にかかる圧力が分散され、カメラ本体の重さに対する顕微鏡用カメラアダプタ１および鏡筒１４の耐荷重性が増す。
【００２４】
なお、接眼レンズ１３は、倍率の異なる種々のレンズを装着しうるように、鏡筒１４に挿脱可能になっている。接眼レンズ１３のフランジ部が鏡筒１４よりも大径で、鏡筒１４の外方に突出している場合には、そのままでは顕微鏡用カメラアダプタ１を取り付けにくいので、この場合には接眼レンズ１３を一旦鏡筒１４から抜き取り、顕微鏡用カメラアダプタ１を取り付けた後、大径の筒状体３に位置する鏡筒１４の部位に接眼レンズ１３を再度装着するようにすればよい。
【００２５】
図３（ａ）は、顕微鏡用カメラアダプタの他の実施形態を示し、筒体２３が鏡筒１４に嵌められ、更に鏡筒接続部２が筒体２３嵌め合わされている。筒体２３の外周および鏡筒接続部２の外周にそれぞれ締付バンド６１があり、筒体２３または鏡筒接続部２を締め付けている。これにより、筒体２３は鏡筒１４に固定され、鏡筒接続部２は筒体２３に固定される。筒体２３の周面には切れ目があり、断面Ｃリング状（図示せず）であるので、鏡筒１４の外径に合わせて径を変え、嵌め合わせることができる。このように、筒体２３を設けて筒体２３に鏡筒接続部２を嵌め合わせることで、鏡筒接続部２の内径を大きくすることができる。予め筒体２３を顕微鏡に備え付けておけば、接眼レンズ１３のフランジ部が鏡筒１４よりも大径で、鏡筒１４の外方に突出している場合でも接眼レンズを鏡筒１４から抜き取らずに顕微鏡用カメラアダプタ１を取り付けることも可能である。また、締付バンド６１を鏡筒接続部２だけに取り付けて、鏡筒接続部２および筒体２３を締め付けて鏡筒に固定させることができれば、必ずしも筒体２３に締付バンド６１を取り付ける必要はない。
【００２６】
図１〜図３のそれぞれの実施形態では、カメラ本体１２は、カメラ前面壁を筒状体３の開口端縁３１に当接させた状態で保持される。図１および図２の実施形態では、カメラレンズ１１を筒状体３の開口部に嵌合させることによって、顕微鏡用カメラアダプタ１に装着される。すなわち、図１および図２の実施の形態では、筒状体３そのものがカメラ保持部４となっている。更に、図３（ａ）の実施形態では筒状体３の開口端の内壁面に設けられたバネ体３５によってカメラレンズ１１を保持し、カメラ保持部４となっている。バネ体３５には蝶ボルト３６が取り付けられ、蝶ボルト３６を締め込むことでバネ体３５がカメラレンズ１１を押さえ付けながらカメラレンズ１１の形状に合わせて変形して、バネ体３５の面全体でカメラレンズ１１を保持する。図３（ｂ）にはカメラレンズ１１を筒状体３に挿入する前の筒状体３の平面図を示す。このようにバネ体３５は力が加わっていない状態では湾曲していて、カメラレンズ１１に接するとバネ体３５は広がり、戻ろうとする力が働く。このため、カメラレンズ１１はバネ体３５によって保持される。なお、図示しないが、筒状体３の外周面に窓部を開口して、筒状体３内を外部から見えるようにし、カメラ本体１２を装着した際に、カメラレンズ１１の先端が接眼レンズ１３に対して最適な位置となるように、顕微鏡用カメラアダプタ１の取り付け位置を調整するようにするとよい。
【００２７】
図４〜図６は、顕微鏡用カメラアダプタ１の他の実施の形態を示す。図４は顕微鏡用カメラアダプタ１の正面図、図５はその平面図、図６は側面図である。本実施形態の顕微鏡用カメラアダプタ１では、鏡筒接続部２と筒状体３とを別体に設けている。
【００２８】
鏡筒接続部２は筒状であり、前記実施の形態と同様に接眼レンズ１３の鏡筒１４に取り付ける部位である小径部２０ａと、テーパ筒部２０を介して小径部２０ａと一体に設けられた大径部２０ｂを有する。小径部２０ａにはすり割り２２が設けられ、締付部材６によって鏡筒１４に取り付けられる点は前記実施の形態と同様である。
【００２９】
筒状体３は、一定径の筒状をなし、鏡筒接続部２の大径部２０ｂに外嵌され、上下動機構により鏡筒接続部２に対して上下動可能となっていて、カメラレンズと接眼レンズとの間の距離を調節できる。
【００３０】
本実施の形態における上下動機構は、スリット３２とネジピン３３とで構成される。ネジピン３３は、鏡筒接続部２の大径部２０ｂに基部が固定されている。スリット３２は、筒状体３に上下方向に長く設けられ、このスリット３２をネジピン３３が貫通している。そして、ネジピン３３に座金３３ｂを介して蝶ナット３３ａが螺合されている。したがって、座金３３ｂを介して蝶ナット３３ａにより筒状体３を締め付けることによって、筒状体３を鏡筒接続部２に対して上下方向に適宜移動した位置で固定することができる。スリット３２とネジピン３３のセットは、筒状体３に複数組（図示の形態では２組）設けることによって、筒状体３の固定を安定させて、確実に行える。
【００３１】
本実施の形態では、筒状体３の開口部側にカメラ本体１２を、筒状体３の開口端縁３１に対して任意の位置に移動して保持可能なカメラ保持部４を備えている。すなわち、カメラは、機種により本体の大きさやカメラレンズの位置や先端までの距離は異なり、また、カメラレンズがカメラ本体の前面壁から突出していないタイプのものもあって、図１に示す顕微鏡用カメラアダプタ１ではカメラ本体１２を装着できない場合がある。本実施の形態におけるカメラ保持部４は、このようなタイプのカメラをも容易に固定して保持可能にするものである。
【００３２】
本実施の形態におけるカメラ保持部４は、三脚にカメラ本体を取り付ける際の雌ネジ孔（図示せず）に螺合する雄ネジ部４１を有し、カメラ本体１２を、カメラレンズ１１が接眼レンズ１３と軸線を一致する位置に位置合わせするよう、雄ネジ部４１を三次元内で移動可能な三次元移動機構４０からなることを特徴とする。
【００３３】
この三次元移動機構４０は、筒状体３に、該筒状体３の軸線と直交する方向（Ｘ方向）に移動可能に設けられた枠体４２と、枠体４２に、枠体４２の移動方向と直交する方向（Ｙ方向）に移動可能にガイドされたネジピン４６と、該ネジピン４６が挿通する長孔Ｚ４７を有し、ネジピン４６を中心として回転可能であり、一端側に雄ネジ部４１が軸線を中心として回転自在に設けられたリンク４８と、ネジピン４６に螺合し、ネジピン４６に対して任意の位置に移動したリンク４８を締付固定するナット４６ａとを有する。
【００３４】
三次元移動機構について更に具体的に説明する。
枠体４２は、図５の顕微鏡用カメラアダプタ１の平面図に示されるように、平面視コの字状に形成され、両平行片４２ａ、４２ｂで筒状体３を挟み込むようにしている。この両平行片４２ａ、４２ｂには、その長手方向に伸びる長孔Ｘ４３がそれぞれ形成されている。そして、この長孔Ｘ４３に、基部が筒状体３に固定されたネジピン４４が貫通し、このネジピン４４に座金４４ｂを介して蝶ナット４４ａが螺合されている。したがって、枠体４２は、長孔Ｘ４３の範囲内で長孔Ｘ４３の方向（Ｘ方向）に移動可能で、移動位置で蝶ナット４４ａを用いて締め付けることで、筒状体３上に固定可能となっている。
【００３５】
また、両平行片４２ａ、４２ｂを連結する枠体４２の連結片４２ｃにもその長手方向（Ｙ方向：枠体４２の移動方向であるＸ方向と直交する方向）に長孔Ｙ４５が形成されている。この長孔Ｙ４５にガイドされて頭部付きのネジピン４６が移動可能に設けられている。このネジピン４６には、座金４６ｂを介して蝶ナット４６ａが螺合されている。ネジピン４６は頭部付きのネジピンであるから、長孔Ｙ４５から抜け出てしまうことはない。
【００３６】
ネジピン４６はまた、長手方向に長孔Ｚ４７が形成されたリンク４８の長孔Ｚ４７をも貫通している。リンク４８はこの長孔Ｚ４７の範囲内で移動可能であると同時に、ネジピン４６を中心として回転可能である。したがって、蝶ナット４６ａを締め付けることによって、長孔Ｙ４５内でのネジピン４６の移動位置で、また、ネジピン４６に対するリンク４８の移動位置および回転位置で、ネジピン４６およびリンク４８を固定できる。
【００３７】
リンク４８の長孔Ｚ４７に、カメラ本体１２を三脚に取り付けるためにカメラ本体１２に設けられている雌ネジ孔（図示せず）に螺合可能な雄ネジ部４１が装着されている。図６に示すように、雄ネジ部４１は蝶ボルト４１ａ、蝶ナット４１ｂ、六角ナット４１ｃからなる。すなわち、カメラ本体１２の雌ネジ孔に螺合する側の雄ネジ部４１の蝶ボルト４１ａ中途部に六角ナット４１ｃが螺合され、この六角ナット４１ｃとでリンク４８を挟む側に蝶ナット４１ｂが螺合されている。
【００３８】
このカメラ保持部４によりカメラ本体１２を顕微鏡用カメラアダプタ１に取り付ける方法の一例は以下のとおりである。
筒状体３は、ネジピン３３、スリット３２等からなる上下動機構により、鏡筒接続部２の大径部２０ｂに対して所要位置に位置するようにナット３３ａで固定しておく。他の蝶ナット４４ａ、４６ａ、４１ｂは全て緩めておき、枠体４２、ネジピン４６、リンク４８、雄ネジ部４１は移動可能にしておく。この状態で雄ネジ部４１を、蝶ボルト４１ａを回すことでカメラ本体１２の三脚取り付け用の雌ネジ部（図示せず）に螺着する。更にこの状態で、カメラ本体１２をその前面壁が、筒状体３の開口端縁３１に当接するようにし、カメラレンズ１１が、接眼レンズ１３に対して所要位置（カメラレンズと接眼レンズの軸線が一致する位置）となるように、カメラ本体１２を移動する。この場合、枠体４２、ネジピン４６、リンク４８、雄ネジ部４１が自由に動くので、その調整は容易である。このようにカメラ本体の位置調整を行い、その位置で、各蝶ナット４４ａ、４６ａ、４１ｂ、六角ナット４１ｃを締め込んで、枠体４２、ネジピン４６、リンク４８、雄ネジ部４１を固定するようにすることで、カメラ本体１２を顕微鏡用カメラアダプタ１に取り付けることができる。なお、蝶ナット４１ｂと六角ナット４１ｃとでリンク４８を締め付けるようにして、雄ネジ部４１とリンク４８とを固定する。
【００３９】
三次元移動機構４０は図１のような鏡筒接続部２と筒状体３とが一体となった顕微鏡用カメラアダプタ３にも設けることができる。
【００４０】
また、ネジピン４６の頭部が回転しないように、ネジピン４６の頭部を挟むように連結片４２ｃを変形させてもよく、ネジピンを滑らかに動かせやすくするためにレール（図示せず）を設けてもよい。
【００４１】
なお本実施の形態でも筒状体３にカメラレンズ１１の位置を確認するための窓部３４を設けることができる。窓部３４を設けることでカメラレンズ１１の位置の他に、筒状体３に挿入された鏡筒接続部２の開口端縁の位置も確認することができる。この他、接眼レンズの射出瞳（アイポイント）の位置にカメラレンズ１１を合わせやすくなり、筒状体３と鏡筒接続部２をネジピンで固定すれば、撮影像を鮮明に映し出すことができる。窓部３４は開放したままでもいいが、アクリル板のような透明なもので塞いでもよく、更に透明板を着色して光の一部を遮ってもよく、観察時には光を完全に遮るような閉じることのできる窓部としてもよい。
【００４２】
図７〜図９に、締付部材６の他の実施形態を示す。
本締付部材６は、ネジ部６２を回してバンド６１の両端を接離して締め付けが可能となる通常の締付機構の他に、ネジ部６２と反対側にレバー６４を設けて、このレバー６４によってもバンド６１を締め付けることができるようになっている。すなわち、レバー６４が設けられる側のバンド６１には、対向する分離片（本実施の形態ではＵ字状の曲折部６７）６７ａ、６７ｂが設けられ、この分離片６７ａ、６７ｂに設けた貫通孔にネジピン６６が貫通されている。
【００４３】
一方、レバー６４の先端部は二股状に形成され、この二股部６８に偏心軸６５が回転可能に設けられ、この偏心軸６５にネジピン６６の一端側が固定されている。またネジピン６６の他端側には、曲折部６７を挟むようにしてナット６６ａが螺合されている。二股部６８の外周面は、偏心軸６５に対して偏心する円弧状のカム面に形成されている。この締付部材６を用いて鏡筒接続部２を締め付けるには、締付部材６が緩んだ状態で鏡筒接続部２上に装着し、次いで、レバー６４を図８の矢印７０方向に回動させる。
【００４４】
図９にレバー６４を回動させて、レバー６４が安定的に固定された状態を示す。カム面によるレバー６４のカム機構によって、ネジピン６６が引っ張られる結果、バンド６１は、分離片６７ａ、６７ｂの両基部側が接近する方向に締め付けられ、最大締付位置Ｌを超えた位置でレバー６４が安定的に固定される。これによって、鏡筒接続部２を鏡筒１４に固定することができる。本実施の形態では、ネジ部６２によって一度締付状態を調整しておけば、レバー６４の操作によってワンタッチで鏡筒接続部２を締め付け、固定できるので操作が容易となる。なお、偏心軸６５を二股部に固定して設け、ネジピン６６の一端側を偏心軸６５に対して回動するように取り付けてもよい。分離片６７ａ、６７ｂの両基部側が接近する方向とは反対である、分離片６７ａ、６７ｂが開く方向に動かすねじりコイルバネ６９を曲折部６７の分離片６７ａと６７ｂの間に固定させてもよい。これにより、レバー６４によって、締付部材６を容易に締め付けたり緩めたりすることができる。
【００４５】
次に筒状体３を鏡筒接続部２に対して軸線方向に移動させる上下動機構の他の実施形態として、図１０に示すようにラック・ピニオン機構を採用することができる。すなわち、鏡筒接続部２の外周側面にラック７１を設け、筒状体３にラックと噛み合うピニオン７２を設けている。つまみ７３によりピニオン７２を回転させることで、筒状体３を上下方向に移動させることができる。ピニオンは支持部７４により、筒状体３に回転自在に支持される。
【００４６】
なお、筒状体３と鏡筒接続部２とは、接続鏡筒部２に筒状体３が移動自在に挿入される装置としてもよい。この場合には、外側の鏡筒接続部２にピニオンを設け、内側の筒状体に軸線方向に伸びるラックを設ければよい（図示せず）。
【００４７】
また、筒状体３が鏡筒接続部２に対する軸線方向に移動する他の実施形態として、ネジ機構を採用することができる。（図示せず）。筒状体３の内周部と鏡筒接続部２の外周部との間、もしくは筒状体３の外周部と鏡筒接続部２の内周部との間にそれぞれネジ溝があり、互いが螺合されている。これにより、筒状体３または鏡筒接続部２のどちらか一方を周方向に回転させることで筒状体３を鏡筒接続部２に対して軸線方向に移動させ、カメラレンズと接眼レンズとの間の距離を調節することができる。
【符号の説明】
【００４８】
１      顕微鏡用カメラアダプタ
１１    カメラレンズ
１２    カメラ本体
１３    接眼レンズ
１４    接眼レンズ鏡筒
２      鏡筒接続部
２０    テーパ筒部
２０ａ  小径部
２０ｂ  大径部
２１    開口端縁
２２    すり割り
２３    筒体
３      筒状体
３１    開口端縁
３２    スリット
３３    ネジピン
３３ａ  蝶ナット
３３ｂ  座金
３４    窓部
３５    バネ体
３６    蝶ボルト
４      カメラ保持部
４０    三次元移動機構
４１    雄ネジ部
４１ａ  蝶ボルト
４１ｂ  蝶ナット
４１ｃ  六角ナット
４２    枠体
４２ａ  平行片
４２ｂ  平行片
４２ｃ  連結片
４３    長孔Ｘ
４４    ネジピン
４４ａ  ナット
４４ｂ  座金
４５    長孔Ｙ
４６    ネジピン
４６ａ  蝶ナット
４６ｂ  座金
４７    長孔Ｚ
４８    リンク
６      締付部材
６１    締付バンド
６２    ネジ部
６３    つまみ
６４    レバー
６５    偏心軸
６６    ネジピン
６６ａ  ナット
６７    曲折部
６７ａ  分離片
６７ｂ  分離片
６８    二股部
６９    ねじりコイルバネ
７０    矢印
７１    ラック
７２    ピニオン
７３    つまみ
７４    支持部
【図１】
0003171985.tif 000003
【図２】
0003171985.tif 000004
【図３】
0003171985.tif 000005
【図４】
0003171985.tif 000006
【図５】
0003171985.tif 000007
【図６】
0003171985.tif 000008
【図７】
0003171985.tif 000009
【図８】
0003171985.tif 000010
【図９】
0003171985.tif 000011
【図１０】
0003171985.tif 000012